(57)【要約】【課題】使用寿命を延長する電気接続ソケットを提供する。【解決手段】  挿入口を有する中空なベースを有し、該挿入口の一側に弾性を有する湾曲状の第１導電プレートが設けられると共に、他側に挿入口へ向かって順序に第２導電プレート、第３導電プレート及び第４導電プレートが設けられ、第２導電プレートは、第３導電プレートと常に接続状態である電気接続ソケットであって、前記第２導電プレートの自由端に絶縁ブロックが設けられ、該絶縁ブロックと第２導電プレートの長さ総合は、第４導電プレートの長さより長く、即ち絶縁ブロックの自由端が第４導電プレートの自由端へ伸びながら、第４導電プレートの自由端を過ぎることを特徴とする電気接続ソケット【選択図】図２
0003124239.tif 000002
【実用新案登録請求の範囲】
【請求項１】
挿入口を有する中空なベースを有し、該挿入口の一側に弾性を有する湾曲状の第１導電プレートが設けられると共に、他側に挿入口へ向かって順序に第２導電プレート、第３導電プレート及び第４導電プレートが設けられ、第２導電プレートは、第３導電プレートと常に接続状態である電気接続ソケットであって、
前記第２導電プレートの自由端に絶縁ブロックが設けられ、該絶縁ブロックと第２導電プレートの長さ総合は、第４導電プレートの長さより長く、即ち絶縁ブロックの自由端が第４導電プレートの自由端へ伸びながら、第４導電プレートの自由端を過ぎる
ことを特徴とする電気接続ソケット。
【請求項２】
前記絶縁ブロックにベースの挿入口に対して案内斜面が形成される
ことを特徴とする請求項１に記載の電気接続ソケット。
【考案の詳細な説明】
【技術分野】
【０００１】
本考案は、特に使用寿命を延長する電気接続ソケットに関するものである。
【背景技術】
【０００２】
従来のステレオや携帯式ラジオなどの電気製品には電気接続ソケットが設けられ、該電気接続ソケットにスピーカやイアホーンなどのプラグを挿入するることにより、信号を伝送することができる。
【０００３】
例えば、台湾実用新案公告第４５０４５７号「電気接続ソケット」は、ベースと、プレート状の信号端子と、調整装置とを有し、該ベースにプラグを挿入することにより、信号の伝送を行うことができる。
【０００４】
図４に示すように、前記電気接続ソケットのベース（４０）の内部における挿入口（４１）の一側に弾性を有する湾曲状の第１導電プレート（４２）が設けられると共に、他側に挿入口（４１）へ向かって順序に第２導電プレート（４３）、第３導電プレート（４４）及び第４導電プレート（４５）が設けられ、第２導電プレート（４３）の自由端に第４導電プレート（４５）と対応する絶縁ブロック（４６）が設けられ、プラグ（２０）をベース（４０）に挿入する前、第２導電プレート（４３）は、第３導電プレート（４４）と常に接続状態であり、この際、信号の伝送はＯＦＦ状態である。
【０００５】
又、図５に示すように、プラグ（２０）をベース（４０）の内部に挿入する時、プラグ（２０）の一側が第１導電プレート（４２）を押圧すると共に、他側が第４導電プレート（４５）を押圧することにより、該第４導電プレート（４５）が絶縁プラグ（４６）を連動すると共に、第２導電プレート（４３）と第３導電プレート（４４）を離間させ、この際、信号の伝送はＯＮ状態である。
【考案の開示】
【考案が解決しようとする課題】
【０００６】
しかしながら、前記プラグ（２０）をベース（４０）の内部に挿入する際、プラグ（２０）は、先に第４導電プレート（４５）を押圧しながら、絶縁ブロック（４６）を連動することにより、第２導電プレート（４３）を押圧させるが、一旦プラグ（２０）の挿入方向が変移してしまう又は第４導電プレート（４５）挿入口（４１）へ向かって変移してしまう場合、プラグ（２０）が絶縁プラグ（４６）へ面する第４導電プレート（４５）の一側に挿入すると、第４導電プレート（４５）が絶縁ブロック（４６）から離れることにより、電気接続ソケットの使用寿命を縮める問題があった。
【０００７】
そこで、案出されたのが本考案であって、使用寿命を延長する電気接続ソケットを提供することを目的としている。
【課題を解決するための手段】
【０００８】
本願の請求項１の考案は、挿入口を有する中空なベースを有し、該挿入口の一側に弾性を有する湾曲状の第１導電プレートが設けられると共に、他側に挿入口へ向かって順序に第２導電プレート、第３導電プレート及び第４導電プレートが設けられ、第２導電プレートは、第３導電プレートと常に接続状態である電気接続ソケットであって、
前記第２導電プレートの自由端に絶縁ブロックが設けられ、該絶縁ブロックと第２導電プレートの長さ総合は、第４導電プレートの長さより長く、即ち絶縁ブロックの自由端が第４導電プレートの自由端へ伸びながら、第４導電プレートの自由端を過ぎることを特徴とする電気接続ソケット、を提供する。
【０００９】
本願の請求項２の考案は、前記絶縁ブロックにベースの挿入口に対して案内斜面が形成されることを特徴とする請求項１に記載の電気接続ソケット、を提供する。
【考案の効果】
【００１０】
本考案は上記の課題を解決するものであり、プラグをベースの内部に挿入する際、プラグは、先に絶縁ブロックの案内斜面と接触しながら、第２導電プレートを連動することにより、第２導電プレートを第３導電プレートから離間させた後、第４導電プレートと接続するので、プラグが先に偏移してしまう第４導電プレートを接触することにより、電気接続ソケットの使用寿命を縮める問題を防止できる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る電気接続ソケットにおける各導電プレートを示す斜視図であり、図２は本考案に係る電気接続ソケットにプラグを挿入する前の状態を示す断面図であり、図３は本考案に係る電気接続ソケットにプラグを挿入した状態を示す断面図である。
【００１３】
図１及び図２に示すように、本考案は、挿入口（１１）を有する中空なベース（１０）を有し、該挿入口（１１）の一側に弾性を有する湾曲状の第１導電プレート（１２）が設けられると共に、他側に挿入口（１１）へ向かって順序に第２導電プレート（１３）、第３導電プレート（１４）及び第４導電プレート（１５）が設けられ、第２導電プレート（１３）は、第３導電プレート（１４）と常に接続状態である電気接続ソケットであって、前記第２導電プレート（１３）の自由端に絶縁ブロック（１６）が設けられ、該絶縁ブロック（１６）と第２導電プレート（１３）の長さ総合は、第４導電プレートの長さより長く、即ち絶縁ブロック（１６）の自由端が第４導電プレート（１５）の自由端へ伸びながら、第４導電プレート（１５）の自由端を過ぎ、又、前記絶縁ブロック（１６）にベース（１０）の挿入口（１１）に対して案内斜面（１７）が形成される。
【００１４】
尚、本実施例におけるプラグ（２０）と第１導電プレート（１２）の接続関係が従来と同じため、詳細な説明を省略する。
【００１５】
図３に示すように、プラグ（２０）をベース（１０）の内部に挿入する際、プラグ（２０）は、先に絶縁ブロック（１６）の案内斜面（１７）と接触しながら、第２導電プレート（１３）を連動することにより、第２導電プレート（１３）を第３導電プレートから離間させた後、第４導電プレート（１５）と接続するので、プラグ（２０）が先に偏移してしまう第４導電プレート（１５）を接触することにより、電気接続ソケットの使用寿命を縮める問題を防止できる。
【産業上の利用可能性】
【００１６】
本考案は上記の構成を有し、プラグをベースの内部に挿入する際、プラグは、先に絶縁ブロックの案内斜面と接触しながら、第２導電プレートを連動することにより、第２導電プレートを第３導電プレートから離間させた後、第４導電プレートと接続するので、プラグが先に偏移してしまう第４導電プレートを接触することにより、電気接続ソケットの使用寿命を縮める問題を防止できる。
【図面の簡単な説明】
【００１７】
【図１】本考案に係る電気接続ソケットにおける各導電プレートを示す斜視図である。
【図２】本考案に係る電気接続ソケットにプラグを挿入する前の状態を示す断面図である。
【図３】本考案に係る電気接続ソケットにプラグを挿入した状態を示す断面図である。
【図４】従来の電気接続ソケットにプラグを挿入する前の状態を示す断面図である。
【図５】従来の電気接続ソケットにプラグを挿入した状態を示す断面図である。
【符号の説明】
【００１８】
１０        ベース
１１        挿入口
１２        第１導電プレート
１３        第２導電プレート
１４        第３導電プレート
１５        第４導電プレート
１６        絶縁ブロック
１７        案内斜面
２０        プラグ
４０        ベース
４１        挿入口
４２        第１導電プレート
４３        第２導電プレート
４４        第３導電プレート
４５        第４導電プレート
４６        絶縁ブロック
【図１】
0003124239.tif 000003
【図２】
0003124239.tif 000004
【図３】
0003124239.tif 000005
【図４】
0003124239.tif 000006
【図５】
0003124239.tif 000007